(57)【要約】【課題】キー操作一つで、録画装置の電源をオンするとともに、テレビ受像機の画面を録画装置が接続されている外部入力画面に切り替え、ＴＶ放送などの録画予約を簡単に行えるようにしたリモコン装置を提供する。【解決手段】リモコン装置１は、複数の種類のＨＤＲと複数の種類のＴＶとのそれぞれのリモコンコードを記憶しており、それぞれに対しコマンド送信が可能な汎用のリモコン装置である。ユーザが録画設定開始キー９Ａを長押しした場合、リモコン装置１は、（１）電源切替信号および（２）画面切替信号を送信する。ＨＤＲ１０が（１）電源切替信号を受信すると、ＨＤＲ１０は、電源をオフからオンにする。また、ＴＶ２０が（２）画面切替信号を受信すると、ＴＶ２０は、画面を選択されているチャンネルの画面から外部入力画面に切り替える。【選択図】  図１
2006319838.tif 000002
【特許請求の範囲】
【請求項１】
複数のキーが設けられた操作手段と、
前記操作手段の前記キーが押下されると、押下された該キーに応じたリモコンコードの信号を生成する信号生成手段と、
前記信号生成手段が生成した前記信号を送信する送信手段と、を備えたリモコン装置において、
前記操作手段は、映像や音声を録画する録画装置に対し、該録画装置の電源のオン／オフを反転する一つの録画設定開始キーが設けられており、
前記録画設定開始キーが押下された時、前記録画設定開始キーが一定時間以上押下されたか否かを判定する押下時間判定手段を備え、
前記信号生成手段は、前記押下時間判定手段が前記録画設定開始キーが前記一定時間以上押下されたと判定すれば、前記録画装置の電源のオン／オフを反転する信号である電源切替信号を生成するとともに、テレビ受像機の画面を外部入力画面又は選択されているチャンネルの画面に切り替える信号である画面切替信号を生成し、
前記信号生成手段が生成した前記電源切替信号を第一のタイミングで、前記信号生成手段が生成した前記画面切替信号を第二のタイミングで、送信することを前記送信手段に対し指示する送信指示手段を備え、
複数の種類の録画装置と複数の種類のテレビ受像機とのそれぞれのリモコンコードを記憶するコード記憶手段と、
前記コード記憶手段に記憶されているリモコンコードの中から送信すべきリモコンコードが設定されるコード設定手段と、を備え、
前記信号生成手段は、前記コード設定手段で設定された前記リモコンコードに応じた信号を生成するリモコン装置。
【請求項２】
複数のキーが設けられた操作手段と、
前記操作手段の前記キーが押下されると、押下された該キーに応じたリモコンコードの信号を生成する信号生成手段と、
前記信号生成手段が生成した前記信号を送信する送信手段と、を備えたリモコン装置において、
前記操作手段は、映像や音声を録画する録画装置に対し、該録画装置の電源のオン／オフを反転する一つの録画設定開始キーが設けられており、
前記録画設定開始キーが押下された時、前記録画設定開始キーが一定時間未満押下されたか否かを判定する押下時間判定手段を備え、
前記信号生成手段は、前記押下時間判定手段が前記録画設定開始キーが前記一定時間未満押下されたと判定すれば、前記録画装置の電源のオン／オフを反転する信号である電源切替信号を生成するとともに、テレビ受像機の画面を外部入力画面又は選択されているチャンネルの画面に切り替える信号である画面切替信号を生成し、
前記信号生成手段が生成した前記電源切替信号を第一のタイミングで、前記信号生成手段が生成した前記画面切替信号を第二のタイミングで、送信することを前記送信手段に対し指示する送信指示手段を備え、
複数の種類の録画装置と複数の種類のテレビ受像機とのそれぞれのリモコンコードを記憶するコード記憶手段と、
前記コード記憶手段に記憶されているリモコンコードの中から送信すべきリモコンコードが設定されるコード設定手段と、を備え、
前記信号生成手段は、前記コード設定手段で設定された前記リモコンコードに応じた信号を生成するリモコン装置。
【請求項３】
複数のキーが設けられた操作手段と、
前記操作手段の前記キーが押下されると、押下された該キーに応じたリモコンコードの信号を生成する信号生成手段と、
前記信号生成手段が生成した前記信号を送信する送信手段と、を備えたリモコン装置において、
前記操作手段は、映像や音声を録画する録画装置に対し、該録画装置の電源のオン／オフを反転する一つの録画設定開始キーが設けられており、
前記信号生成手段は、前記録画設定開始キーが押下されると、前記録画装置の電源のオン／オフを反転する信号である電源切替信号を生成するとともに、テレビ受像機の画面を外部入力画面又は選択されているチャンネルの画面に切り替える信号である画面切替信号を生成し、
前記信号生成手段が生成した前記電源切替信号を第一のタイミングで、前記信号生成手段が生成した前記画面切替信号を第二のタイミングで、送信することを前記送信手段に対し指示する送信指示手段を備えるリモコン装置。
【請求項４】
前記録画設定開始キーが一定時間以上押下されたか否かを判定する押下時間判定手段を備え、
前記信号生成手段は、前記押下時間判定手段が前記録画設定開始キーが前記一定時間以上押下されたと判定すれば、前記電源切替信号を生成するとともに、前記画面切替信号を生成する請求項３に記載のリモコン装置。
【請求項５】
前記録画設定開始キーが一定時間未満押下されたか否かを判定する押下時間判定手段を備え、
前記信号生成手段は、前記押下時間判定手段が前記録画設定開始キーが前記一定時間未満押下されたと判定すれば、前記電源切替信号を生成するとともに、前記画面切替信号を生成する請求項３に記載のリモコン装置。
【請求項６】
複数の種類の録画装置と複数の種類のテレビ受像機とのそれぞれのリモコンコードを記憶するコード記憶手段と、
前記コード記憶手段に記憶されているリモコンコードの中から送信すべきリモコンコードが設定されるコード設定手段と、を備え、
前記信号生成手段は、前記コード設定手段で設定された前記リモコンコードに応じた信号を生成する請求項３から５のいずれかに記載のリモコン装置。
【発明の詳細な説明】
【技術分野】
【０００１】
本発明は、例えば、ハードディスクレコーダ、ビデオテープレコーダのような録画装置とテレビ受像機とを遠隔操作するリモコン装置に関し、特に、ＴＶ放送などの録画予約を簡単に行えるようにしたリモコン装置に関するものである。
【背景技術】
【０００２】
従来、ハードディスクレコーダ（ＨＤＲ）、ビデオテープレコーダ（ＶＴＲ）などの録画装置やテレビ受像機を遠隔操作できるリモコン（リモート・コントローラ）装置が実用化され、一般に普及している。
【０００３】
一般的に、テレビ受像機と録画装置とは有線で接続されており、録画装置は、ＴＶ放送、ＢＳ放送、ＣＡＴＶ放送などを録画することができる。
【０００４】
ユーザが従来のリモコン装置を用いてＴＶ放送を録画予約する場合、録画装置専用のリモコン装置を用いて録画装置の電源をオンするとともに、予約内容を確認等するために、別途テレビ受像機専用のリモコン装置を用いてテレビ受像機の画面を録画装置が接続されている外部入力画面に切り替えることがよく行われている。すると、テレビ受像機の画面に録画装置の出力が表示されるが、再び録画装置専用のリモコン装置を用いて、ＴＶ番組や放送時間などの録画設定をすることになる。
【０００５】
このように、ユーザが従来のリモコン装置を用いてＴＶ放送を録画予約する場合、録画装置専用のリモコン装置とテレビ受像機専用のリモコン装置との両方に対し、それぞれ操作を行う必要があった。
【０００６】
一方、特許文献１に記載されたようなテレビ受像機が提案されている。
【０００７】
このテレビ受像機は、専用のリモコン装置が備えられており、有線および無線の伝送路を介して録画装置と接続されている。このテレビ受像機は、専用のリモコン装置から録画予約を命令された場合、上記伝送路を介して、録画装置に録画指示する。この指示を受け、録画装置は映像や音声を録画する。
【特許文献１】特開平７−７５０３０号公報
【発明の開示】
【発明が解決しようとする課題】
【０００８】
しかしながら、録画装置に対しては録画装置専用のリモコン装置を使用させ、テレビ受像機に対してはテレビ受像機専用のリモコン装置を使用させていたのでは、上述のように操作手順が迂遠である。従って、ユーザに煩わしさを感じさせるという問題があった。この問題は、一つのリモコン装置にテレビ受像機と録画装置との両方のキーが設けられているタイプのリモコン装置であっても、テレビ受像機と録画装置とを切り替えてリモコン装置を操作しなければならず、同様に存する。
【０００９】
また、特許文献１において、このテレビ受像機は、リモコン装置から録画予約を命令された際に、録画装置の電源をオンするものではない。録画装置の電源をオンするには、別途録画装置専用のリモコン装置で電源をオンする必要がある。
【００１０】
本発明はこのような従来の課題を解決しようとするものであり、キー操作一つで、録画装置の電源をオンするとともに、テレビ受像機の画面を録画装置が接続されている外部入力画面に切り替え、ＴＶ放送などの録画予約を簡単に行えるようにしたリモコン装置を提供することを目的とする。
【課題を解決するための手段】
【００１１】
本発明のリモコン装置は、前記課題を解決するために以下の構成を備えている。
（１）複数のキーが設けられた操作手段と、
前記操作手段の前記キーが押下されると、押下された該キーに応じたリモコンコードの信号を生成する信号生成手段と、
前記信号生成手段が生成した前記信号を送信する送信手段と、を備えたリモコン装置において、
前記操作手段は、映像や音声を録画する録画装置に対し、該録画装置の電源のオン／オフを反転する一つの録画設定開始キーが設けられており、
前記信号生成手段は、前記録画設定開始キーが押下されると、前記録画装置の電源をオン／オフを反転する信号である電源切替信号を生成するとともに、テレビ受像機の画面を外部入力画面又は選択されているチャンネルの画面に切り替える信号である画面切替信号を生成し、
前記信号生成手段が生成した前記電源切替信号を第一のタイミングで、前記信号生成手段が生成した前記画面切替信号を第二のタイミングで、送信することを前記送信手段に対し指示する送信指示手段を備える。
【００１２】
この構成において、録画装置は、例えばハードディスクレコーダ（ＨＤＲ）、ビデオテープレコーダ（ＶＴＲ）、ＤＶＤレコーダである。また、録画装置は、ＴＶ放送、ＢＳ放送、ＣＡＴＶ放送などを録画することができる。
【００１３】
ところで、録画設定開始キーが押下された際、信号生成手段が生成した電源切替信号と画面切替信号とを、送信手段が同時に送信しては、両信号による干渉が起こる。
【００１４】
そのため、上記構成では、送信指示手段が送信手段を制御し、上記干渉が起きないように、タイミングをずらして電源切替信号と画面切替信号とを送信している。
【００１５】
なお、第一のタイミング及び第二のタイミングは、いずれか一方が他方より早く送信することを意味し、第二のタイミングが先で第一のタイミングが後でも構わない。
【００１６】
そして、録画装置が電源切替信号を受信すると、録画装置は、電源をオフからオンにする。また、テレビ受像機が画面切替信号を受信すると、テレビ受像機は、画面を選択されているチャンネルの画面から外部入力画面に切り替える。
【００１７】
以上より、キー操作一つで、録画装置の電源をオンするとともに、テレビ受像機の画面を録画装置が接続されている外部入力画面に切り替え、ＴＶ放送などの録画予約を簡単に行える。
（２）上記（１）において、前記録画設定開始キーが一定時間以上押下されたか否かを判定する押下時間判定手段を備え、
前記信号生成手段は、前記押下時間判定手段が前記録画設定開始キーが前記一定時間以上押下されたと判定すれば、前記電源切替信号を生成するとともに、前記画面切替信号を生成する。
【００１８】
この構成において、一定時間は、例えば2秒である。該一定時間は、携帯などで、いわゆる長押しが行われた場合のレスポンスタイムと同じ時間にすると良い。以下、一定時間以上の録画設定開始キーの押下を、「長押し」と称し、一定時間未満の録画設定開始キーの押下を、「短押し」と称する。
【００１９】
通常、一般的な録画装置の電源は、リモコン装置から電源コマンドを受け取る毎にオン／オフを反転するいわゆるトグル動作を行う場合が多い。また、テレビ受像機の画面についても、リモコン装置から外部入力切替コマンドを受け取る毎に、外部入力画面と選択されているチャンネルの画面とを切換えるいわゆるトグル動作を行う場合が多い。
【００２０】
また、テレビ受像機が外部入力ポートを複数有している場合も同様である。この場合も、例えば外部入力ポートを２つ有している場合には、テレビ受像機は２つの外部入力画面を有し、リモコン装置から外部入力切替コマンドを受け取る毎に、外部入力画面１と外部入力画面２と選択されているチャンネルの画面とを順に切換えるトグル動作を行う。
【００２１】
以下、このトグル動作により起こる問題について、外部入力ポートを１つ有しているテレビ受像機を例にして説明する。
【００２２】
録画装置とテレビ受像機との状態によっては、録画設定開始キーが押下されることによりリモコン装置から送信される電源切替信号と画面切替信号とによって、録画装置の電源がオフになるとともに、テレビ受像機の画面を前記録画装置が接続されている外部入力画面に切り替わる場合もある。この場合に、上記（１）のリモコン装置において録画設定開始キーを再び押下しても、今度は、録画装置の電源がオンになるとともに、テレビ受像機の画面が選択されているチャンネルの画面に切り替わってしまうため問題である。
【００２３】
しかし、上記（１）のリモコン装置が上記構成を備えることによって、このトグル動作による問題は解決する。
【００２４】
上記構成では、ユーザが短押しした場合、信号生成手段は電源切替信号のみを生成し、一方ユーザが長押しした場合、信号生成手段は電源切替信号を生成するとともに、画面切替信号を生成する。つまり、ユーザが短押しした場合、録画装置の電源をオン又はオフし、一方ユーザが長押しした場合、テレビ受像機の画面を外部入力画面又は選択されているチャンネルの画面に切り替えるとともに、録画装置の電源をオン又はオフする。
【００２５】
上述のように、録画装置とテレビ受像機との状態が、録画装置の電源がオフであり、テレビ受像機の画面が前記録画装置が接続されている外部入力画面に切り替わっている状態であれば、ユーザは短押しすれば録画装置の電源がオンされるだけとなり、トグル動作による問題は解決する。
【００２６】
以上より、ユーザに長押しと短押しとを使い分けさせることにより、トグル動作による問題が解決する。
（３）上記（１）において、前記録画設定開始キーが一定時間未満押下されたか否かを判定する押下時間判定手段を備え、
前記信号生成手段は、前記押下時間判定手段が前記録画設定開始キーが前記一定時間未満押下されたと判定すれば、前記電源切替信号を生成するとともに、前記画面切替信号を生成する。
【００２７】
この構成は、上記（２）と逆であり、ユーザが長押しした場合、信号生成手段は電源切替信号のみを生成し、一方ユーザが短押しした場合、信号生成手段は電源切替信号を生成するとともに、画面切替信号を生成する。つまり、ユーザが長押しした場合、録画装置の電源をオフ又はオンし、一方ユーザが短押しした場合、テレビ受像機の画面を外部入力画面又は選択されているチャンネルの画面に切り替えるとともに、録画装置の電源をオフ又はオンする。
（４）複数の種類の録画装置と複数の種類のテレビ受像機とのそれぞれのリモコンコードを記憶するコード記憶手段と、
前記コード記憶手段に記憶されているリモコンコードの中から送信すべきリモコンコードが設定されるコード設定手段と、を備え、
前記信号生成手段は、前記コード設定手段で設定された前記リモコンコードに応じた信号を生成する。
【００２８】
録画装置に付属されているリモコン装置は、通常、該録画装置のみを操作できるようになっており、メーカが異なれば全く操作することができない。テレビ受像機についても同様である。これは、周知のように、録画装置又はテレビ受像機では、メーカ毎に異なるリモコンコードが設定されているからである。
【００２９】
しかし、本発明のリモコン装置は上記構成を備えているため、ユーザに自己が所有する録画装置とテレビ受像機とのリモコンコードを設定させることにより、どのようなメーカの録画装置でも、どのようなメーカのテレビ受像機でも操作が可能となる。
【００３０】
以上より、どのようなメーカの録画装置でも、どのようなテレビ受像機でもキー操作一つで、録画装置の電源をオンするとともに、テレビ受像機の画面を録画装置が接続されている外部入力画面に切り替え、ＴＶ放送などの録画予約を簡単に行える。
【発明の効果】
【００３１】
この発明によれば、どのようなメーカの録画装置でも、どのようなテレビ受像機でもキー操作一つで、録画装置の電源をオンするとともに、テレビ受像機の画面を録画装置が接続されている外部入力画面に切り替え、ＴＶ放送などの録画予約を簡単に行える。
【発明を実施するための最良の形態】
【００３２】
以下、本発明の実施形態であるリモコン装置について説明する。
【００３３】
図１は、本発明の実施形態であるリモコン装置のシステム構成図である。
【００３４】
ＴＶ（テレビジョン）２０は、伝送路を介してＨＤＲ（ハードディスクレコーダ）１０と接続されている。ＴＶ２０及びＨＤＲ１０には、それぞれ専用のリモコン装置が付属しており、該リモコン装置から信号を受信する受光部２１及び受光部１１をそれぞれ備えている。ＴＶ２０及びＨＤＲ１０は、どのようなメーカの製品でもよい。
【００３５】
また、ＴＶ２０は、外部入力ポートを１つのみ有しているテレビジョンである。
【００３６】
一方、リモコン装置１は、複数の種類のＨＤＲと複数の種類のＴＶとのそれぞれのリモコンコードを記憶しており、それぞれに対しコマンド送信が可能な汎用のリモコン装置である。
【００３７】
リモコン装置１は、映像や音声を録画するＨＤＲに対し、該ＨＤＲの電源のオン／オフを反転する一つの録画設定開始キー９Ａを含む複数のキー９と、信号を送信する赤外ＬＥＤ７Ａとを備えている。キー９には、録画設定開始キー９Ａの他、ＴＶ及びＨＤＲを制御するキーやＴＶの制御とＨＤＲの制御とを切替えるキーがあると良い。
【００３８】
リモコン装置１は、録画設定開始キー９Ａが押下されると、赤外ＬＥＤ７Ａから電源切替信号を送信する。
【００３９】
一方、録画設定開始キー９Ａは、一定時間以上押下されると、ＨＤＲの電源のオン／オフを反転し、且つＴＶが画面を選択されているチャンネルの画面から外部入力画面に切り替えるキーでもある。リモコン装置１は、録画設定開始キー９Ａが一定時間以上押下されると、赤外ＬＥＤ７Ａから電源切替信号及び画面切替信号を送信する。
【００４０】
一定時間は、例えば2秒である。該一定時間は、携帯などで、いわゆる長押しが行われた場合のレスポンスタイムと同じ時間にすると良い。以下、一定時間以上の録画設定開始キー９Ａの押下を、「長押し」と称し、一定時間未満の録画設定開始キー９Ａの押下を、「短押し」と称する。
【００４１】
後述の設定操作により、押下されたキー９に応じて、ＨＤＲ１０とＴＶ２０とのリモコンコードの信号が、赤外ＬＥＤ７Ａから送信される。
【００４２】
例えば、ユーザが録画設定開始キー９Ａを短押しした場合、リモコン装置１は、（１）電源切替信号を送信する（後述の図３ｓ４〜５参照）。ＨＤＲ１０が（１）電源切替信号を受信すると、ＨＤＲ１０は、電源をオフからオンにする。
【００４３】
一方、ユーザが録画設定開始キー９Ａを長押しした場合、リモコン装置１は、（１）電源切替信号および（２）画面切替信号を送信する（後述の図３ｓ２〜３参照）。ＨＤＲ１０が（１）電源切替信号を受信すると、ＨＤＲ１０は、電源をオフからオンにする。また、ＴＶ２０が（２）画面切替信号を受信すると、ＴＶ２０は、画面を選択されているチャンネルの画面から外部入力画面に切り替える。
【００４４】
ここで、ＨＤＲ、ＨＤＲ１０が、本発明の「録画装置」に相当する。
【００４５】
図２は、本発明の実施形態であるリモコン装置のブロック図である。
【００４６】
リモコン装置１は、装置本体を制御する制御部２と、操作手段である操作部３と、コード記憶手段であるＲＯＭ４と、コード設定手段であるメモリ５と、データを一時的に格納するＲＡＭ６と、送信手段である送信部７と、ユーザに伝達する内容を表示する表示部８と、を備えている。
【００４７】
ＲＯＭ４は、複数の種類のＨＤＲと複数の種類のＴＶとのそれぞれのリモコンコードを記憶する。ＲＯＭ４は、各ＨＤＲ、ＴＶ毎に分類され、且つメーカ毎にリモコンコードが分類されたテーブルであるリモコンコード表を記憶している。このリモコンコード表には、ＨＤＲ用として電源のオン／オフ用のリモコンコード、及びチャンネル番号を指定するリモコンコード、ＴＶ用として外部入力切替用のリモコンコードなどを含んでいる。
【００４８】
なお、ＲＯＭ４の記憶容量に余裕がある場合、複数の種類のＨＤＲの他、複数の種類のＶＴＲやＤＶＤレコーダをＲＯＭ４に記憶させても良い。これにより、リモコン装置１は、複数の種類のＨＤＲだけでなく、複数の種類のＶＴＲやＤＶＤレコーダにも対応可能となる。
【００４９】
操作部３には、録画設定開始キー９Ａを含む複数のキー９が設けられている。制御部２は、例えばマイクロコンピュータから構成される。
【００５０】
また、ユーザに自己が所有するＨＤＲ１０とＴＶ２０とのリモコンコードを操作部３で設定操作させる。表示部８には、該設定操作する際の操作内容等が表示され、ユーザは、表示部８を見ながら操作部３で設定操作を行うことが可能である。
【００５１】
ＲＡＭ６は、操作部３で行われた設定操作を記憶し、操作が行われる度にその内容が更新されるので、最新の設定操作内容を記憶している。
【００５２】
メモリ５は、不揮発性のメモリから成り、記憶内容を更新可能である。メモリ５は、例えばＥＥＰＲＯＭから構成される。特に、フラッシュメモリを使用するとよい。
【００５３】
ユーザの上記設定操作により、メモリ５は、ＲＯＭ４に記憶されているリモコンコードの中から送信すべきリモコンコードが設定される。図２では、ＴＶにメーカＢ社、ＨＤＲにメーカＰ社が設定されている。
【００５４】
以上により、制御部２は、押下されたキー９に応じて、メモリ５で設定されたメーカのリモコンコードをＲＯＭ４から読み出して信号を生成する。
【００５５】
送信部７は、制御部２から送られてきた電気信号を赤外光の信号に変換して、赤外ＬＥＤ７Ａから送信する。
【００５６】
ここで、制御部２が、本発明の「信号生成手段」「送信指示手段」「押下時間判定手段」に相当する。
【００５７】
図３は、本発明の実施形態であるリモコン装置において制御部が行う動作を示すフローチャートである。この動作は、録画設定開始キー９Ａが押下された時に行われる動作である。この動作の後、ユーザは、リモコン装置１を用いて、ＴＶ番組や放送時間などの録画設定をすることになる。
【００５８】
録画設定開始キー９Ａが押下されると、制御部２は、該録画設定開始キー９Ａが一定時間以上押下されたか否か判定する（ｓ１）。
【００５９】
録画設定開始キー９Ａが一定時間以上押下されたと判定すると、つまりユーザが長押しした場合、制御部２は（１）電源切替信号を生成するとともに、（２）画面切替信号を生成する（ｓ２）。
【００６０】
次に、制御部２は、（１）電源切替信号を第一のタイミングで、（２）画面切替信号を第二のタイミングで、送信することを送信部７に対し指示し（ｓ３）、本処理を終了する。送信部７は、この指示を受け、（１）電源切替信号及び（２）画面切替信号を、送信する（図１、図２参照）。
【００６１】
なお、第一のタイミング及び第二のタイミングは、いずれか一方が他方より早く送信することを意味し、第二のタイミングが先で第一のタイミングが後でも構わない。制御部２が送信部７を制御し、タイミングをずらして（１）電源切替信号と（２）画面切替信号とを送信しているのは、両信号を同時に送信すると干渉が起こるためである。
【００６２】
ＨＤＲ１０が（１）電源切替信号を受信すると、ＨＤＲ１０は、電源をオフからオンにする。また、ＴＶ２０が（２）画面切替信号を受信すると、ＴＶ２０は、画面を選択されているチャンネルの画面から外部入力画面に切り替える。
【００６３】
以上より、どのようなメーカのＨＤＲ１０でも、どのようなＴＶ２０でもキー操作一つで、ＨＤＲ１０の電源をオンするとともに、ＴＶ２０の画面をＨＤＲ１０が接続されている外部入力画面に切り替え、ＴＶ放送などの録画予約を簡単に行える。
【００６４】
ところで、ＨＤＲ１０とＴＶ２０との状態によっては、録画設定開始キー９Ａが一定時間以上押下されることによりリモコン装置１から送信される（１）電源切替信号と（２）画面切替信号とによって、ＨＤＲ１０の電源がオフになるとともに、ＴＶ２０の画面がＨＤＲ１０が接続されている外部入力画面に切り替わる場合もある。この場合に、リモコン装置１において録画設定開始キー９Ａを再び一定時間以上押下しても、今度は、ＨＤＲ１０の電源がオンになるとともに、ＴＶ２０の画面が選択されているチャンネルの画面に切り替わってしまう。これは、いわゆるトグル動作により起こる問題である。
【００６５】
そこで、ユーザに長押しと短押しとを使い分けさせることにより、上記トグル動作による問題は解決する。
【００６６】
ｓ１において、録画設定開始キー９Ａが一定時間未満押下されたと判定すると、つまりユーザが短押しした場合、制御部２は（１）電源切替信号のみを生成する（ｓ４）。
【００６７】
送信部７は、制御部２の制御の下、赤外ＬＥＤ７Ａから（１）電源切替信号を送信し（ｓ５）、本処理を終了する。
【００６８】
そして、ＨＤＲ１０が、（１）電源切替信号を受信すると、ＨＤＲ１０は、電源をオフからオンにする。
【００６９】
上述のように、ＨＤＲ１０とＴＶ２０との状態が、ＨＤＲ１０の電源がオフであり、ＴＶ２０の画面が前記ＨＤＲ１０が接続されている外部入力画面に切り替わっている状態であれば、ユーザは短押しすればＨＤＲ１０の電源がオンされるだけとなり、上記トグル動作による問題は解決する。
【００７０】
なお、ＨＤＲ１０とＴＶ２０との状態が、ＨＤＲ１０の電源がオンであり、ＴＶ２０の画面が選択されているチャンネルの画面に切り替わっている状態も考えられる。この場合、長押しして、短押しすればよい。
【００７１】
また、上記実施形態では、録画設定開始キー９Ａが一定時間未満押下されたと判定すると、つまりユーザが短押しした場合、制御部２は（１）電源切替信号のみを生成していたが（図３ｓ４参照）、（２）画面切替信号のみを生成しても良い。つまり、信号生成手段は、押下時間判定手段が録画設定開始キーが一定時間以上押下されたと判定すると、電源切替信号を生成するとともに、画面切替信号を生成し、信号生成手段は、押下時間判定手段が録画設定開始キーが一定時間未満押下されたと判定すると、電源切替信号と画面切替信号とのいずれか一方の信号を生成するリモコン装置であっても良い。
【００７２】
ＨＤＲ１０とＴＶ２０との状態が、ＨＤＲ１０の電源がオンであり、ＴＶ２０の画面が選択されているチャンネルの画面に切り替わっている状態であっても、ユーザは短押しすればＴＶ２０の画面が前記ＨＤＲ１０が接続されている外部入力画面に切り替わるだけとなる。この方法によっても、トグル動作による問題は解決する。
【００７３】
また、上記実施形態では、録画設定開始キー９Ａが押下されると、制御部２は、該録画設定開始キー９Ａが一定時間以上押下されたか否か判定していたが（図３ｓ１参照）、制御部２に、該録画設定開始キー９Ａが一定時間未満押下されたか否か判定させてもよい。
【００７４】
そして、録画設定開始キー９Ａが一定時間未満押下されたと判定すると、つまりユーザが短押しした場合、制御部２は、（１）電源切替信号を生成するとともに、（２）画面切替信号を生成する。
【００７５】
一方、録画設定開始キー９Ａが一定時間以上押下されたと判定すると、つまりユーザが長押しした場合、制御部２は（１）電源切替信号のみを生成する。
【００７６】
この構成は、上記実施形態と逆であり、ユーザが長押しした場合、録画装置の電源をオフ又はオンし、一方ユーザが短押しした場合、テレビ受像機の画面を外部入力画面又は選択されているチャンネルの画面に切り替えるとともに、録画装置の電源をオフ又はオンする。
【図面の簡単な説明】
【００７７】
【図１】本発明の実施形態であるリモコン装置のシステム構成図
【図２】本発明の実施形態であるリモコン装置のブロック図
【図３】本発明の実施形態であるリモコン装置において制御部が行う動作を示すフローチャート
【符号の説明】
【００７８】
１−リモコン装置
２−制御部
３−操作部
４−ＲＯＭ
５−メモリ
６−ＲＡＭ
７−送信部
８−表示部
９−キー
１０−ハードディスクレコーダ
１１−受光部
２０−テレビジョン
２１−受光部
【図１】
2006319838.tif 000003
【図２】
2006319838.tif 000004
【図３】
2006319838.tif 000005